(57)【要約】【課題】利便性を損なうことなく種々の機能を好適に制限することができるようにする。【解決手段】本発明の携帯端末においては、予め記憶されている第１の認証情報を用いて携帯端末に設けられる機能をロックし、携帯端末に設けられた機能がロックされている最中に、所定の機能に関する新たなデータを仮登録し、第２の認証情報を入力し、入力された第２の認証情報が第１の認証情報と一致すると判定された場合、携帯端末に設けられる機能のロックを解除し、携帯端末に設けられる機能のロックが解除されるまで仮登録された仮登録データを非表示状態に維持しつつ、携帯端末に設けられる機能のロックが解除されたとき、仮登録データを一時的に非表示状態から表示可能状態に遷移させ、表示可能状態に遷移した仮登録データを本登録または破棄することを特徴とする。【選択図】  図３
2010161486.tif 000002
【特許請求の範囲】
【請求項１】
携帯端末に設けられる機能をロックするロック手段と、
前記ロック手段により前記携帯端末に設けられた機能がロックされている最中に、所定の機能に関する新たなデータを仮登録する仮登録手段と、
第２の認証情報を入力する入力手段と、
前記入力手段により入力された前記第２の認証情報が予め記憶されている第１の認証情報と一致すると判定された場合、前記携帯端末に設けられる機能のロックを解除するロック解除手段と、
前記ロック解除手段により前記携帯端末に設けられる機能のロックが解除されるまで前記仮登録手段により仮登録された仮登録データを非表示状態に維持し、前記ロック解除手段により前記携帯端末に設けられる機能のロックが解除されたとき、前記仮登録データを一時的に非表示状態から表示可能状態に遷移させる制御手段と、
前記制御手段により表示可能状態に遷移した前記仮登録データを本登録する本登録手段とを備えることを特徴とする携帯端末。
【請求項２】
前記本登録手段は、所定の操作に応じて、前記本登録手段による前記仮登録データの本登録に代わり、前記制御手段により表示可能状態に遷移した前記仮登録データを破棄する破棄手段をさらに備えることを特徴とする請求項１に記載の携帯端末。
【請求項３】
前記制御手段により非表示状態に維持された前記仮登録データを非表示としつつ、前記制御手段により一時的に表示可能状態に遷移された前記仮登録データを表示する表示手段をさらに備えることを特徴とする請求項１に記載の携帯端末。
【請求項４】
前記本登録手段により前記仮登録データが本登録された場合、前記制御手段は、本登録された前記仮登録データを表示可能状態にし、
前記表示手段は、前記制御手段により表示可能状態にされた前記仮登録データを表示することを特徴とする請求項３に記載の携帯端末。
【請求項５】
前記仮登録手段は、前記仮登録データを仮登録した後であって前記ロック手段により前記携帯端末に設けられた機能がロックされている最中に、前記仮登録データに関する関連データを仮登録し、
前記本登録手段は、前記制御手段により表示可能状態に遷移した前記仮登録データの本登録に合わせて、前記仮登録手段により仮登録された前記関連データを本登録することを特徴とする請求項１に記載の携帯端末。
【請求項６】
前記仮登録データは電話帳機能に関する仮登録データであり、前記関連データには、少なくとも、前記仮登録データに含まれるメールアドレスに関するメールの着信履歴、および前記仮登録データに含まれる電話番号に関する着呼履歴が含まれることを特徴とする請求項５に記載の携帯端末。
【請求項７】
前記仮登録手段により仮登録される前記仮登録データの件数が最大登録件数であるか、あるいは、前記仮登録手段により仮登録された前記仮登録データの仮登録期間が一定期間を超えたか否かを判定する判定手段をさらに備え、
前記判定手段により前記仮登録データの件数が最大登録件数であるか、あるいは、前記仮登録データの仮登録期間が一定期間を超えたと判定された場合、前記ロック解除手段は、前記携帯端末に設けられる機能のロックを解除し、前記制御手段は、前記仮登録データを一時的に非表示状態から表示可能状態に遷移させることを特徴とする請求項１に記載の携帯端末。
【請求項８】
前記判定手段により前記仮登録データの件数が最大登録件数であると判定された場合、前記仮登録手段により仮登録された前記仮登録データの全部または一部を表示する一方、前記判定手段により前記仮登録データの仮登録期間が一定期間を超えたと判定された場合、仮登録期間が一定期間を超えたと判定された前記仮登録データを表示する表示手段と、
前記表示手段により表示された前記仮登録データの中から選択された仮登録データを削除する仮登録データ削除手段とをさらに備えることを特徴とする請求項７に記載の携帯端末。
【請求項９】
前記仮登録データ削除手段により前記仮登録データが削除された後、前記制御手段は、前記仮登録手段により仮登録された前記仮登録データを表示可能状態から非表示状態に遷移させ、前記ロック手段は、前記携帯端末に設けられる機能をロックすることを特徴とする請求項８に記載の携帯端末。
【発明の詳細な説明】
【技術分野】
【０００１】
本発明は携帯端末に係り、特に、携帯端末に搭載された機能の使用を制限することができるようにした携帯端末に関する。
【背景技術】
【０００２】
近年、子供や女性などを狙った略取誘拐などの犯罪が増加しており、これらの犯罪から子供や女性を未然に守るために、例えば子供向けの携帯電話機のように種々の防犯機能が搭載された携帯電話機が提案されている。
【０００３】
携帯電話機では、一般的に、重要な設定が他人によって改変されることを防止するために、重要な設定を変更する場合にパスワード入力を要求し、設定変更に関してパスワード入力を用いた制限を行っている。一方、前述した防犯機能が搭載された携帯電話機の中には比較的に低年齢の学生向けの携帯電話機も含まれているが、このような携帯電話機の場合、重要な設定の変更を制限するパスワードと異なるパスワード（以下、「親パスワード」という）を用いて、携帯電話機における重要な設定変更の制限とは別に、防犯機能の設定の変更を制限している。具体的には、防犯機能に関する設定として、例えば緊急時にメールや発信を行う緊急連絡先が予め設定されている。そして、緊急連絡先のリストが子供によって意図的にあるいは不用意に改変されないように、上述した親パスワードを用いて緊急連絡先のリストが存在する電話帳の機能自体の使用が制限される。防犯機能の設定の変更の制限を親パスワードを用いて特に行っている理由は、管理能力や判断能力が乏しい子供が意図的にあるいは不用意に防犯機能の設定を変更してしまうことを防止し、携帯電話機に搭載された防犯機能の実効性を維持するためである。
【０００４】
また、防犯機能が搭載された携帯電話機以外にも、電話帳の機能の使用が制限される場合がある。例えば法人向けの携帯電話機の場合、必要に応じて使用時間制限や使用量制限あるいはアクセス制限などが付され、電話帳の機能を含む種々の機能の使用が制限される。
【０００５】
なお、携帯電話機の機能の使用制限に関連する技術として、次のような技術が知られている（例えば特許文献１参照）。特許文献１に提案されている技術によれば、記憶部は認証情報であるパスワードを記憶するパスワード記憶エリアと、携帯電話機の動作を制御するための制御情報記憶エリアと、制御情報記憶エリアの制御情報が有効である場合でも、この制限を受けない情報を登録する許可リストとを備え、制御部の認証部が入力されたパスワードの認証で一致判定をしたときに制御情報記憶エリアの設定情報を変更可能とすることで、被管理者に対する携帯電話機の使用範囲を管理者の意図した範囲に制限する。これにより、管理者が携帯電話機の使用範囲を細かく制限することを可能とし、子供などの被管理者が管理者の意図した範囲を超えて使用することを防止することができる。
【先行技術文献】
【特許文献】
【０００６】
【特許文献１】特開２００５−１１７２８０号公報
【発明の概要】
【発明が解決しようとする課題】
【０００７】
しかしながら、防犯機能が搭載されている携帯電話機や法人向けの携帯電話機の場合、必要に応じて一旦種々の機能を制限すると、個別の使用態様や使用状況などは考慮されずに画一的に機能が制限されてしまう。そのため、例えば携帯電話機の機能のうちの電話帳の機能の使用が制限されると、その機能の使用が必要以上に制限されてしまい、ユーザが意図したタイミングで電話帳の機能を使用して氏名や電話番号を登録することができなくなってしまい、ユーザにとって不都合が生じてしまう。
【０００８】
本発明は、このような状況に鑑みてなされたものであり、利便性を損なうことなく種々の機能を好適に制限することができる携帯端末を提供することを目的とする。
【課題を解決するための手段】
【０００９】
本発明の携帯端末は、上述した課題を解決するために、予め記憶されている第１の認証情報を用いて携帯端末に設けられる機能をロックするロック手段と、ロック手段により携帯端末に設けられた機能がロックされている最中に、所定の機能に関する新たなデータを仮登録する仮登録手段と、第２の認証情報を入力する入力手段と、入力手段により入力された第２の認証情報が第１の認証情報と一致すると判定された場合、携帯端末に設けられる機能のロックを解除するロック解除手段と、ロック解除手段により携帯端末に設けられる機能のロックが解除されるまで仮登録手段により仮登録された仮登録データを非表示状態に維持しつつ、ロック解除手段により携帯端末に設けられる機能のロックが解除されたとき、仮登録データを一時的に非表示状態から表示可能状態に遷移させる制御手段と、制御手段により表示可能状態に遷移した仮登録データを本登録する本登録手段とを備えることを特徴とする。
【発明の効果】
【００１０】
本発明によれば、利便性を損なうことなく種々の機能を好適に制限することができる。
【図面の簡単な説明】
【００１１】
【図１】（Ａ）と（Ｂ）は、本発明に係る携帯端末に適用可能な携帯電話機の外観斜視図。
【図２】本発明に係る携帯端末に適用可能な携帯電話機の内部の構成を示すブロック図。
【図３】図２の子ユーザの携帯電話機における仮登録データの本登録または破棄のシーケンス図。
【図４】図３のシーケンスの実行の際に図２の子ユーザの携帯電話機のメインディスプレイに表示される表示画面の遷移図。
【図５】図２の子ユーザの携帯電話機における仮登録データの本登録または破棄の他のシーケンス図。
【図６】図５のシーケンスの実行の際に図２の子ユーザの携帯電話機のメインディスプレイに表示される表示画面の遷移図。
【図７】図２の子ユーザの携帯電話機における仮登録データ削除処理を説明するフローチャート。
【図８】図７の仮登録データ削除処理の際に図２の子ユーザの携帯電話機のメインディスプレイに表示される表示画面の遷移図。
【発明を実施するための形態】
【００１２】
以下、本発明の実施の形態について、図面を参照しながら説明する。図１（Ａ）と図１（Ｂ）は、本発明に係る携帯端末に適用可能な携帯電話機１の外観斜視図である。図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に開閉可能（折り畳み可能）に形成される。携帯電話機１の内部の所定の位置には、送受信用のアンテナ（後述する図２のアンテナ３１）が設けられており、内蔵されたアンテナを介して図示せぬ基地局との間で電波を送受信する。また、第２の筐体の中央の位置には、外部に音声を出力する音声出力手段としてのスピーカ１４が設けられている。さらに、第１の筐体には、携帯電話機１の操作を行うサイドキー１５が設けられている。
【００１３】
また、第２の筐体１３の所定の位置には、防犯ブザースイッチ１６が設けられており、この防犯ブザースイッチ１６にはプルトップ式タブ１７が装着されている。プルトップ式タブ１７が防犯ブザースイッチ１６に装着される場合、プルトップ式タブ１７が、防犯ブザースイッチ１６の開口部Ｍに巻き付けられる。図１（Ｂ）に示されるように、防犯ブザースイッチ１６に装着されたプルトップ式タブ１７が矢印Ｐ方向に引っ張られると、防犯ブザースイッチ１６は図示せぬ案内体（ガイド体）を介して第２の筐体１３に対して面方向にスライドされる。そのとき、防犯ブザースイッチ１６の押下（スライド）に伴い、防犯ブザーがスピーカ１４から出力される。なお、図１（Ａ）に示されるように、防犯ブザースイッチ１６は、ユーザにより矢印Ｐ方向の逆方向にスライドされて引き上げられることで、第２の筐体１３に装着されて元の位置に戻る。このとき、スピーカ１４からの防犯ブザーの出力は停止する。
【００１４】
図２は、本発明に係る携帯端末に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００１５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調整された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００１６】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００１７】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオ信号を受話増幅器３９に出力する。このアナログオーディオ信号は、受話増幅器３９にて増幅された後、レシーバ１９により出力される。
【００１８】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ２２に表示させる。なお、制御部４１は、受信された動画像データだけでなく、ＣＣＤカメラ２４により撮像された動画像データに関しても、図示せぬビデオＲＡＭを介してメインディスプレイ２２に表示させることも可能である。
【００１９】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー２１の操作に応じて、記憶部４２に記憶されているこの電子メールを読み出し、読み出された電子メールをメインディスプレイ２２に表示させる。
【００２０】
一方、通話モードにおいて、マイクロフォン２０に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２４から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から基地局に向けて送信される。
【００２３】
また、携帯電話機２は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の時刻を測定する時計回路（タイマ）４７が設けられている。
【００２４】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００２５】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００２６】
赤外線通信部４８は、赤外線による無線通信を行い、制御部４１からのデータを、赤外線を媒介としてＵＲＡＴ（Universal Asynchronous Receiver Transmitter）を介して他の機器に送信するとともに、他の機器から送信されたデータをＵＲＡＴを介して受信する。
【００２７】
ブルートゥース通信部４９は、ブルートゥース（Bluetooth（登録商標））による無線通信を行い、携帯電話機１の近傍に存在する他の機器（例えば他の携帯電話機１など）と無線通信を行う。なお、制御部４１は、他の機器との間でデータの授受を行う際に、例えばＯＢＥＸ（Object Exchange）やＲＦＣＯＭＭ（RS232 Serial Cable Emulation Profile）、ＳＤＰ（Service Discovery Protocol）などの通信プロトコルを用いて、Ａ２ＤＰやＨＦＰ、ＡＶＲＣＰ（Audio／Video Remote Control Profile）などの種々のプロファイルに応じたブルートゥース通信部４９による通信を統括的に制御する。なお、これらの通信プロトコルやプロファイルなどは、上位のアプリケーションプログラムから下位の物理層まで順次積み重なったスタック構造をなしている。
【００２８】
防犯機能が搭載された携帯電話機１の場合、親パスワードを用いて携帯電話機１における防犯機能の設定の変更を制限している。この親パスワードを管理する者は、一般的に、防犯機能が搭載された携帯電話機１を子供に与える親である。そこで、以下、本発明の実施形態を説明するに際し、子供と親がそれぞれ所有する携帯電話機１とのやり取りを想定する。そして、比較的に低年齢の学生である子供のユーザを便宜上「子ユーザ」と称し、子ユーザが所有する携帯電話機１を「子ユーザの携帯電話機１−１」と称する。
【００２９】
図３は、図２の子ユーザの携帯電話機１における仮登録データの本登録または破棄のシーケンスを表している。なお、図３のシーケンス図の場合、例えば子ユーザが友達のメールアドレスや電話番号などを新たに加えたいと所望するときに、電話帳機能（アドレス帳機能）を使用して新たにメールアドレスや電話番号などを追加する状況を想定する。なお、このとき、子ユーザが電話帳機能を用いて新たなデータを入力するようにしてもよいし、これ以外にも、例えば子ユーザの携帯電話機１−１にて外部からのデータを赤外線通信部４８またはブルートゥース通信部４９を介して受信するようにしてもよい。
【００３０】
ステップＳ３１において、機能制限の設定または設定の解除をする権限を有する管理者としての親ユーザは、子ユーザの携帯電話機１の入力部を操作し、子ユーザの携帯電話機１に対して親パスワードを用いた機能制限の設定操作を行う。ステップＳ１１において、子ユーザの携帯電話機１の制御部４１は、親ユーザによる機能制限の設定操作に従い、例えば電話帳の機能制限を設定する。これにより、電話帳の機能の使用が制限される。ステップＳ１２において、制御部４１は、親パスワードによるロックを実行する。その結果、子ユーザの携帯電話機１では、親パスワードによるロックがかけられる。なお、親パスワードは親ユーザの操作に応じて予め設定され、記憶されているものとする。
【００３１】
次に、ステップＳ１において、被管理者である子ユーザは、子ユーザの携帯電話機１の入力部を操作し、メインディスプレイ２２に表示されるメニュー画面上で電話帳機能を示すアイコン（「指示情報」と定義する）を選択（クリック等）するとともに、メニュー画面の１つ下の階層の画面上で電話帳機能のうちの新規登録機能を示すアイコンを選択する。ステップＳ１３において、子ユーザの携帯電話機１の制御部４１は、子ユーザによる所定の操作に応じて新規登録機能を起動し、電話帳新規登録画面をメインディスプレイ２２に表示させる。図４（Ａ）は、子ユーザの携帯電話機１のメインディスプレイ２２に表示される電話帳新規登録画面の表示例を示している。ステップＳ２において、子ユーザの携帯電話機１の入力部を操作し、電話帳に新たなデータ（例えば新たなメールアドレスや電話番号に関するデータ）を電話帳新規登録画面上で入力する。ステップＳ１４において、制御部４１は、電話帳新規登録画面上で新たなデータの入力を受け付ける。ステップＳ１５において、制御部４１は、電話帳新規登録画面上で入力が受け付けられた新たなデータを、記憶部４２に記憶されている電話帳に仮登録する。なお、たとえユーザが携帯電話機１の電話帳機能を起動したとしても、図３に示される仮登録期間では仮登録された仮登録データはメインディスプレイ２２上に表示されない。従って、ユーザはその仮登録データを利用することもできない。すなわち、仮登録データは非表示状態となる。
【００３２】
次に、子ユーザは、子ユーザの携帯電話機１を親ユーザに手渡し、すでに仮登録されている仮登録データの本登録操作を依頼する。ステップＳ３２において、親ユーザは、子ユーザの携帯電話機１に対して親パスワードロックの解除操作を開始する。ステップＳ１６において、子ユーザの携帯電話機１の制御部１は、親ユーザによる所定の操作に応じて、親パスワードを入力するための親パスワード入力画面をメインディスプレイ２２に表示させる。図４（Ｂ）は、子ユーザの携帯電話機１のメインディスプレイ２２に表示される親パスワード入力画面の表示例を示している。図４（Ｂ）の場合、「親パスワードを入力してください。」とのメッセージが表示されるとともに、親パスワード入力欄が表示される。また、親パスワード入力画面上には、親パスワードの入力完了を指示するための「ＯＫ」のアイコンが表示される。親ユーザは、親パスワード入力画面上の「ＯＫ」のアイコンを選択することで、子ユーザの携帯電話機１に対して、親パスワードの入力完了を指示することができる。ステップＳ３３において、親ユーザは、子ユーザの携帯電話機１の入力部を操作し、親パスワード入力画面上の親パスワード入力欄に親パスワードを入力した後、親パスワード入力画面上において「ＯＫ」のアイコンを選択する。例えば予め設定されている親パスワードが「９８３２６７」である場合、親パスワード入力画面上で「９８３２６７」の親パスワードが入力される。
【００３３】
ステップＳ１７において、子ユーザの携帯電話機１の制御部４１は、親ユーザにより親パスワード入力画面上で親パスワードの入力が行われると、親パスワード入力画面上で例えば「９８３２６７」の親パスワード入力を受け付ける。ステップＳ１８において、子ユーザの携帯電話機１の制御部４１は、入力が受け付けられた親パスワードが記憶部４２に予め記憶されている親パスワードと一致するか否か（親パスワード入力画面上で入力された親パスワードが正しいか否か）を判定する。例えば記憶部４２に予め記憶されている親パスワードが「９８３２６７」である場合に、親パスワード入力画面上で入力された親パスワードが「９８３２６７」であるとき、親パスワードが一致すると判定される。なお、本発明の実施形態においては、子ユーザの携帯電話機１の記憶部４２に予め記憶されている親パスワードを「第１の認証情報」と定義し、親パスワード入力画面上で入力された親パスワード情報を「第２の認証情報」と定義する。
【００３４】
ステップＳ１８において、子ユーザの携帯電話機１の制御部４１は、入力された親パスワードが記憶部４２に予め記憶されている親パスワードと一致する否かを示すメッセージをメインディスプレイ２２に表示させ、親パスワードの正否を親ユーザに通知する。図４（Ｃ）は、入力された親パスワードが記憶部４２に予め記憶されている親パスワードと一致した場合における、子ユーザの携帯電話機１のメインディスプレイ２２に表示される親パスワード一致表示画面の表示例を示している。図４（Ｃ）の場合、「親パスワードが一致しました。親パスワードによるロックを解除します。」とのメッセージが表示される。また、親パスワード一致表示画面上には、親パスワードによるロックの解除の実行を指示するための「ＯＫ」のアイコンが表示される。親ユーザは、親パスワードが一致したことを知るとともに、入力部を操作して親パスワード一致表示画面上の「ＯＫ」のアイコンを選択することで、子ユーザの携帯電話機１に対して、親パスワードによるロックの解除の実行を指示することができる。
【００３５】
一方、図４（Ｄ）は、入力された親パスワードが記憶部４２に予め記憶されている親パスワードと一致しない場合における、子ユーザの携帯電話機１のメインディスプレイ２２に表示される親パスワード不一致表示画面の表示例を示している。図４（Ｄ）の場合、「親パスワードが一致しません。再度、入力しますか？」とのメッセージが表示される。また、親パスワードを再度入力するか否かに関する「Ｙｅｓ」と「Ｎｏ」のアイコンが表示される。そして、親ユーザは、親パスワードが一致しないことを知ることができ、入力部を操作することで、図４（Ｄ）に示される親パスワード不一致表示画面上で親パスワードを再度入力するか否かを子ユーザの携帯電話機１に指示することができる。
【００３６】
ステップＳ３４において、親パスワードが一致する場合、親ユーザは、入力部を操作し、親パスワード一致表示画面上において「ＯＫ」のアイコンを選択し、親パスワードロック解除実行の操作を行う。一方、親パスワードが一致しない場合、親ユーザは、入力部を操作し、親パスワード不一致表示画面上において「Ｙｅｓ」のアイコンを選択し、親パスワード再入力の指示の操作を行う。なお、親ユーザは、入力部を操作し、親パスワード不一致表示画面上において「Ｎｏ」のアイコンを選択すると、子ユーザの携帯電話機１に対して、親パスワード再入力のキャンセルを指示することができる。
【００３７】
ステップＳ２０において、子ユーザの携帯電話機１の制御部４１は、親パスワード一致表示画面または親パスワード不一致表示画面上での入力を受け付ける。ステップＳ２１において、子ユーザの携帯電話機１の制御部４１は、親パスワード一致表示画面上で「ＯＫ」の入力を受け付け、親パスワードによるロック解除を実行する。このとき、子ユーザの携帯電話機１のメインディスプレイ２２に表示される表示画面は、図４（Ｃ）から図４（Ｅ）に遷移する。図４（Ｅ）は、子ユーザの携帯電話機１のメインディスプレイ２２に表示される親パスワードロック解除画面の表示例を示している。図４（Ｅ）の場合、「親パスワードによるロックを解除しました。」とのメッセージが表示される。これにより、親パスワードによるロックを解除することができる。一方、子ユーザの携帯電話機１の制御部４１は、親パスワード不一致表示画面上で「Ｙｅｓ」または「Ｎｏ」の入力を受け付け、親パスワード再入力操作またはそのキャンセルを行う。親パスワード再入力操作を行う場合、処理はステップＳ１６に戻る。
【００３８】
ステップＳ２２において、子ユーザの携帯電話機１の制御部４１は、親パスワードロックが解除された場合、仮登録された仮登録データの非表示状態を一時的に解除する。これにより、ユーザが携帯電話機１の電話帳機能を起動した場合、仮登録された仮登録データはメインディスプレイ２２上に一時的に表示可能となる。このとき、仮登録データは非表示状態から表示可能状態に遷移するとともに、仮登録期間は仮登録一時解除期間に移行する。
【００３９】
ステップＳ３５において、親ユーザは、子ユーザの携帯電話機１の入力部を操作し、メインディスプレイ２２に表示されるメニュー画面上で電話帳機能を示すアイコンを選択するとともに、メニュー画面の１つ下の階層の画面上で電話帳機能のうちの新規登録機能を示すアイコンを選択し、仮登録された仮登録データの表示操作を行う。ステップＳ２３において、子ユーザの携帯電話機１の制御部４１は、親ユーザによる所定の操作に応じて仮登録データをメインディスプレイ２２に表示させる。図４（Ｆ）は、子ユーザの携帯電話機１のメインディスプレイ２２に表示される仮登録データの表示例を示している。図４（Ｆ）の場合、表示画面の上部に「仮登録中」の文字が表示されている。これにより、親ユーザは、現在表示されているデータが電話帳に仮登録されていることを知ることができる。また、表示画面の下部には、仮登録データを本登録するか否かに関する「Ｙｅｓ」と「Ｎｏ」のアイコンが表示される。そして、親ユーザは、入力部を操作することで、図４（Ｆ）に示される表示画面上で仮登録データを本登録するか否かを子ユーザの携帯電話機１に指示することができる。
【００４０】
ステップＳ３６において、親ユーザは、メインディスプレイ２２に表示されている仮登録データを確認し、仮登録データが本登録を許可することが可能なデータである場合、入力部を操作してその仮登録データの本登録操作を行う一方、仮登録データが本登録を許可することができないデータである場合、入力部を操作して仮登録データの破棄操作を行う。ステップＳ２４において、子ユーザの携帯電話機１の制御部４１は、図４（Ｆ）に示される仮登録データ表示画面上での入力を受け付ける。ステップＳ２５において、子ユーザの携帯電話機１の制御部４１は、仮登録データ表示画面上で「Ｙｅｓ」の入力を受け付けると、仮登録データを本登録する。一方、子ユーザの携帯電話機１の制御部４１は、仮登録データ表示画面上で「Ｎｏ」の入力を受け付けると、仮登録データを破棄する。仮登録データが本登録された場合、ユーザが携帯電話機１の電話帳機能を起動した場合、本登録されたデータはデータメインディスプレイ２２上に常に表示可能となる。このとき、仮登録一時解除期間は本登録期間に移行する。
【００４１】
ステップＳ２６において、子ユーザの携帯電話機１の制御部４１は、仮登録された仮登録データの本登録または破棄した旨をメインディスプレイ２２に表示させる。仮登録された仮登録データが本登録された場合、子ユーザの携帯電話機１のメインディスプレイ２２に表示される表示画面は、図４（Ｆ）から図４（Ｇ）に遷移する。図４（Ｇ）は、子ユーザの携帯電話機１のメインディスプレイ２２に表示される本登録完了画面の表示例を示している。図４（Ｇ）の場合、「この仮登録データは本登録されました。」とのメッセージが表示される。これにより、親ユーザは、仮登録データが本登録されたことを知ることができる。一方、仮登録された仮登録データが破棄された場合、子ユーザの携帯電話機１のメインディスプレイ２２に表示される表示画面は、図４（Ｆ）から図４（Ｈ）に遷移する。図４（Ｈ）は、子ユーザの携帯電話機１のメインディスプレイ２２に表示される仮登録データ破棄完了画面の表示例を示している。図４（Ｈ）の場合、「この仮登録データは破棄されました。」とのメッセージが表示される。これにより、親ユーザは、仮登録データが破棄されたことを知ることができる。
【００４２】
なお、仮登録期間中に、仮登録された仮登録データに含まれるメールアドレスや電話番号などに示される相手方からメールの着信や着呼を受けた場合、仮登録期間中であることから、この仮登録データに関するメールの着信や着呼があった旨をメールの着信履歴や着呼履歴に登録すべきではない。しかし、仮登録された仮登録データが事後的に本登録された場合には、この仮登録データに関するメールの着信や着呼があった旨をメールの着信履歴や着呼履歴にも本登録するべきである。一方、仮登録された仮登録データが事後的に破棄された場合には、この仮登録データに関するメールの着信や着呼があった旨をメールの着信履歴や着呼履歴にも破棄するべきである。そこで、仮登録期間中に、仮登録された仮登録データに含まれるメールアドレスや電話番号などに示される相手方からメールの着信や着呼を受けた場合、仮登録期間中では、この仮登録データに関するメールの着信や着呼があった旨を仮登録しておき、仮登録一時解除期間で表示可能な状態としつつ、仮登録データの本登録または破棄に連動させるようにしてもよい。以下、この方法を用いた、子ユーザの携帯電話機１における仮登録データの本登録または破棄のシーケンスについて説明する。
【００４３】
図５は、図２の子ユーザの携帯電話機１における仮登録データの本登録または破棄の他のシーケンスを表している。なお、図３のシーケンス図に対応する処理については、その説明は適宜省略する。
【００４４】
ステップＳ７６において、子ユーザの携帯電話機１は、仮登録された仮登録データに関するメールの着信や電話の着呼信号を受ける。すなわち、子ユーザの携帯電話機１は、アンテナ３１、アンテナ共用器３２、および受信回路３３などを介して、仮登録された仮登録データに含まれるメールアドレスや電話番号などに示される他の携帯電話機１から送信されたメールを受信したり、電話の着呼信号を受信する。ステップＳ７７において、子ユーザの携帯電話機１の制御部４１は、この仮登録データに関するメールの着信や着呼があった旨を、記憶部４２に記憶されているメールの着信履歴や電話の着呼履歴に仮登録する。
【００４５】
ステップＳ８５において、子ユーザの携帯電話機１の制御部４１は、親ユーザによる所定の操作に応じて仮登録データをメインディスプレイ２２に表示させる。このとき、仮登録された仮登録データ以外にも、仮登録されたメールの着信履歴や着呼履歴がメインディスプレイに表示可能となる。図５（Ａ）は、子ユーザの携帯電話機１のメインディスプレイ２２に表示される着呼履歴の表示例を示している。図５（Ａ）の場合、表示画面に表示される着呼履歴のうち、仮登録されている着呼履歴には、「仮登録中」の文字が同時に表示されている。これにより、親ユーザは、現在表示されている着呼履歴の一部が仮登録されていることを知ることができる。
【００４６】
次に、ステップＳ８７において、子ユーザの携帯電話機１の制御部４１は、仮登録データ表示画面上で「Ｙｅｓ」の入力を受け付けると、仮登録データを本登録する。一方、子ユーザの携帯電話機１の制御部４１は、仮登録データ表示画面上で「Ｎｏ」の入力を受け付けると、仮登録データを破棄する。仮登録データが本登録された場合、ユーザが携帯電話機１の電話帳機能を起動した場合、本登録されたデータはデータメインディスプレイ２２上に常に表示可能となる。このとき、仮登録一時解除期間は本登録期間に移行する。
【００４７】
そして、ステップＳ８８において、子ユーザの携帯電話機１の制御部４１は、仮登録された仮登録データを本登録する場合、仮登録されているメールの着信履歴や着呼履歴も連動して本登録する。一方、子ユーザの携帯電話機１の制御部４１は、仮登録された仮登録データを破棄する場合、仮登録されているメールの着信履歴や着呼履歴も連動して破棄する。なお、仮登録データに含まれるメールアドレスに関するメールの着信履歴、および仮登録データに含まれる電話番号に関する着呼履歴を「関連データ」と定義する。
【００４８】
ステップＳ８９において、子ユーザの携帯電話機１の制御部４１は、仮登録された仮登録データの本登録または破棄した旨をメインディスプレイ２２に表示させる。仮登録された仮登録データが本登録された場合、子ユーザの携帯電話機１のメインディスプレイ２２に表示される表示画面は、図６（Ｂ）に遷移する。図６（Ｂ）は、子ユーザの携帯電話機１のメインディスプレイ２２に表示される本登録完了画面の表示例を示している。図６（Ｂ）の場合、「この仮登録データはメールの着信履歴や着呼履歴とともに本登録されました。」とのメッセージが表示される。これにより、親ユーザは、仮登録データがメールの着信履歴や着呼履歴とともに本登録されたことを知ることができる。一方、仮登録された仮登録データが破棄された場合、子ユーザの携帯電話機１のメインディスプレイ２２に表示される表示画面は、図６（Ｃ）に遷移する。図６（Ｃ）は、子ユーザの携帯電話機１のメインディスプレイ２２に表示される仮登録データ破棄完了画面の表示例を示している。図６（Ｃ）の場合、「この仮登録データはメールの着信履歴や着呼履歴とともに破棄されました。」とのメッセージが表示される。これにより、親ユーザは、仮登録データがメールの着信履歴や着呼履歴とともに破棄されたことを知ることができる。
【００４９】
ところで、仮登録された仮登録データのデータ量が蓄積されたために、仮登録データを記憶するための記憶容量が一杯になったり、あるいは、仮登録データが仮登録されてから一定期間を超えた場合には、これらの仮登録データを削除する警告を表示するとともに、ユーザの操作に応じて削除するようにしてもよい。以下、この方法を用いた、子ユーザの携帯電話機１における仮登録データの削除のシーケンスについて説明する。
【００５０】
図７のフローチャートを参照して、図２の子ユーザの携帯電話機１における仮登録データ削除処理について説明する。なお、この仮登録データ削除処理は、例えば子ユーザが新たなメールアドレスなどを追加したい場合に新たなデータを仮登録しようとしたが、仮登録データの記憶容量が一杯であったとき、あるいは、すでに仮登録されている仮登録データの仮登録期間が一定期間（例えば１カ月など）を超えたときに開始される。
【００５１】
ステップＳ１３１において、子ユーザの携帯電話機１の制御部４１は、新たなデータが仮登録される場合に仮登録データの記憶容量が一杯であるか、あるいは、すでに仮登録されている仮登録データの仮登録期間が一定期間（例えば１カ月など）を超えたか否かを判定し、仮登録データの記憶容量が一杯であるか、あるいは、すでに仮登録されている仮登録データの仮登録期間が一定期間を超えたと判定するまで待機する。ステップＳ１３１において制御部４１が、仮登録データの記憶容量が一杯であるか（仮登録可能な仮登録データの最大件数を超えてしまったか）、あるいは、すでに仮登録されている仮登録データの仮登録期間が一定期間を超えたと判定した場合、制御部４１はステップＳ１３２で、仮登録データ記憶容量警告画面または仮登録期間経過警告画面をメインディスプレイ２２に表示させる。図８（Ａ）は、子ユーザの携帯電話機１のメインディスプレイ２２に表示される仮登録データ記憶容量警告画面の表示例を示している。図８（Ａ）の場合、「仮登録データの記憶容量が一杯になりました。」とのメッセージが表示される。また、図８（Ｂ）は、子ユーザの携帯電話機１のメインディスプレイ２２に表示される仮登録期間経過警告画面の表示例を示している。図８（Ｂ）の場合、「仮登録データの仮登録期間が一定期間を超えました。」とのメッセージが表示される。
【００５２】
ステップＳ１３３において、制御部４１は、親パスワードによるロック解除を実行する。ステップＳ１３４において、制御部４１は、親パスワードロック解除画面をメインディスプレイ２２に表示させる。図８（Ｃ）は、子ユーザの携帯電話機１のメインディスプレイ２２に表示される親パスワードロック解除画面の表示例を示している。図８（Ｃ）の場合、「親パスワードによるロックを解除しました。」とのメッセージが表示される。これにより、子ユーザは、仮登録データの記憶容量が一杯あるいは仮登録データの仮登録期間の一定期間の経過に伴い、親パスワードによるロックが解除されたことを知ることができる。
【００５３】
ステップＳ１３５において、子ユーザの携帯電話機１の制御部４１は、親パスワードロックが解除された場合、制御部４１は、仮登録された仮登録データの非表示状態を一時的に解除する。これにより、仮登録された仮登録データはメインディスプレイ２２上に一時的に表示可能となる。このとき、仮登録データは非表示状態から表示可能状態に遷移するとともに、仮登録期間は仮登録一時解除期間に移行する。ステップＳ１３６において、制御部４１は、削除対象となる仮登録データの一覧をメインディスプレイ２２に表示させる。図８（Ｄ）は、子ユーザの携帯電話機１のメインディスプレイ２２に表示される削除対象仮登録データ一覧画面の表示例を示している。図８（Ｄ）の場合、削除対象となる仮登録データの一覧が表示される。なお、仮登録データの記憶容量が一杯である場合には、仮登録された仮登録データが例えば仮登録された日時の早い順などに表示される。また、すでに仮登録されている仮登録データの仮登録期間が一定期間を超えた場合には、仮登録期間が一定期間を超えた仮登録データのみが表示される。このときも、仮登録された日時が早い順などで一覧表示するようにしてもよい。
【００５４】
ステップＳ１３７において、制御部４１は、子ユーザにより入力部が操作されることにより、削除する仮登録データの選択を削除対象仮登録データ一覧画面上で受け付ける。例えば図８（Ｄ）の場合、削除する仮登録データとして「仮登録データ１」乃至「仮登録データ６」までの選択が受け付けられる。ステップＳ１３８において、制御部４１は、子ユーザにより操作キー２１のうちの確定キーなどが押下されることで仮登録データの削除が指示されると、選択が受け付けられた仮登録データを削除する。なお、子ユーザの携帯電話機１のメインディスプレイ２２に表示される表示画面は、図８（Ｄ）から図８（Ｅ）に遷移する。図８（Ｅ）の場合、「仮登録データが削除されました。」と表示される。ステップＳ１３９において、制御部４１は、仮登録データの非表示状態の一時的な解除を終了する。これにより、仮登録された仮登録データはメインディスプレイ２２上に表示できなくなり、仮登録データは表示可能状態から非表示状態に遷移するとともに、仮登録一時解除期間は仮登録期間に再度移行する。その後、ステップＳ１４０において、制御部４１は、親パスワードによるロックを実行する。
【００５５】
なお、本発明の実施形態においては、防犯機能が搭載されている携帯電話機１について明示的に記載したが、このような場合に限られず、例えば法人向けの携帯電話機１にも適用することができる。
【００５６】
本発明の実施形態においては、予め記憶されている第１の認証情報を用いて携帯端末に設けられる機能をロックし、携帯端末に設けられた機能がロックされている最中に、所定の機能に関する新たなデータを仮登録し、第２の認証情報を入力し、入力された第２の認証情報が第１の認証情報と一致すると判定された場合、携帯端末に設けられる機能のロックを解除し、携帯端末に設けられる機能のロックが解除されるまで仮登録された仮登録データを非表示状態に維持しつつ、携帯端末に設けられる機能のロックが解除されたとき、仮登録データを一時的に非表示状態から表示可能状態に遷移させ、表示可能状態に遷移した仮登録データを本登録または破棄することができる。これにより、防犯機能が搭載されている携帯電話機１や法人向けの携帯電話機１の場合、必要に応じて一旦種々の機能を制限したとしても、制限された機能に関する新たなデータを一時的に仮登録することができる。そして、管理者（例えば親ユーザなど）によって事後的に本登録操作または破棄操作が行われることで、仮登録された仮登録データを本登録または破棄することができる。従って、被管理者は、所望のタイミングで所定の機能に関する編集を行うとともに、管理者は事後的に許可できない編集については破棄することができる。その結果、利便性を損なうことなく種々の機能を好適に制限することができる。
【００５７】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００５８】
また、本発明の実施形態において説明した一連の処理は、ソフトウェアにより実行させることもできるが、ハードウェアにより実行させることもできる。
【００５９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００６０】
１…携帯電話機、１１…ヒンジ部、１２…第１の筐体、１３…第２の筐体、１４…スピーカ、１５…サイドキー、１６…防犯ブザースイッチ、１６ａ…防犯ブザースイッチ１６の端部、１７…プルトップ式タブ、１９…レシーバ、２０…マイクロフォン、２１…操作キー、２２…メインディスプレイ、２３…サブディスプレイ、２４…ＣＣＤカメラ、２５…センサ群、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…赤外線通信部、４９…ブルートゥース通信部。
【図１】
2010161486.tif 000003
【図２】
2010161486.tif 000004
【図３】
2010161486.tif 000005
【図４】
2010161486.tif 000006
【図５】
2010161486.tif 000007
【図６】
2010161486.tif 000008
【図７】
2010161486.tif 000009
【図８】
2010161486.tif 000010